(57)【要約】【課題】用紙情報の読み取りの回数を低減する。【解決手段】制御部２０は、プリンタ１００の電源がオンされた後における１回目の印画処理が実行される場合のみ、搬送ローラー対５により搬送されるプリント用紙４に、当該プリント用紙４に関する用紙情報が存在するか否かを判定する。読取センサー９は、用紙情報が存在すると判定された場合のみ、当該用紙情報を読み取る。【選択図】図１
2015182271.tif 000002
【特許請求の範囲】
【請求項１】
プリント用紙がロール状に巻かれて構成されるロール紙を用いて、当該プリント用紙に印画を行う印画処理を実行するプリンタであって、
前記プリント用紙を搬送するための搬送ローラー対と、
前記プリンタの電源がオンされた後における１回目の前記印画処理が実行される場合のみ、前記搬送ローラー対により搬送される前記プリント用紙に、当該プリント用紙に関する用紙情報が存在するか否かを判定する制御部と、
前記用紙情報が存在すると判定された場合のみ、当該用紙情報を読み取る読取センサーと、を備える
プリンタ。
【請求項２】
前記読取センサーは、前記プリント用紙が搬送される経路である搬送経路のうち、前記搬送ローラー対より下流側の位置に設けられる
請求項１に記載のプリンタ。
【請求項３】
前記用紙情報は、前記印画処理において印画を行う対象となる、前記プリント用紙の端部に設けられる
請求項１または２に記載のプリンタ。
【請求項４】
前記プリンタは、さらに、
前記読取センサーが前記用紙情報を読み取った後、前記プリント用紙のうち当該用紙情報が設けられている部分を前記ロール紙から分離するように、前記プリント用紙の一部を切断するカッターを備える
請求項３に記載のプリンタ。
【請求項５】
前記用紙情報は、バーコードにより表現される
請求項１から４のいずれか１項に記載のプリンタ。
【請求項６】
前記プリンタは、熱転写プリンタである
請求項１から５のいずれか１項に記載のプリンタ。
【発明の詳細な説明】
【技術分野】
【０００１】
本発明は、プリント用紙に関する情報を有する当該プリント用紙に印画を行うプリンタに関する。
【背景技術】
【０００２】
一般に、製造ロットの異なるプリント用紙は、当該プリント用紙の物性値に誤差が生じやすい。当該物性値は、例えば、光学的な特性である反射特性、光沢度、白色度、表面特性である多孔性、平滑性、弾力性などである。そのため、従来のプリンタにおいては、当該プリンタが使用する、製造ロットが異なるプリント用紙ごとに、当該プリント用紙に印画される画像の画質にバラつきが生じやすかった。したがって、従来のプリンタでは、適切な画質の印画物を安定して出力できないという問題点があった。
【０００３】
そこで、上記の問題を解決するために、特許文献１には、印画物の画質のバラつきを防止するための技術（以下、関連技術Ａともいう）が開示されている。具体的には、関連技術Ａでは、バーコードラベルが貼り付けられたプリント用紙が使用される。当該バーコードラベルは、製造ロット情報、物性値情報等の用紙に関する用紙情報を構成するバーコードを示す。そして、プリンタに含まれるバーコードリーダーが、バーコード（用紙情報を読取る。これにより、プリンタは、用紙情報に応じた適切な印画処理を実施することができる。その結果、関連技術Ａでは、印画物の画質のバラつきが防止される。
【先行技術文献】
【特許文献】
【０００４】
【特許文献１】特開平８−０７２２８６号公報
【発明の概要】
【発明が解決しようとする課題】
【０００５】
しかしながら、関連技術Ａでは、以下の問題点がある。具体的には、関連技術Ａでは、プリンタが、プリント用紙に設けられたバーコードを読み取るために、印画処理を実行する前に、プリント用紙にバーコードが存在するか否かを判定する必要がある。そこで、紙送りローラーは、一度、プリント用紙を、バーコードリーダーの位置まで、搬送する。紙送りローラーは、例えば、ゴムローラー、微小な突起を有したグリップローラー等である。
【０００６】
なお、バーコードの読み取りは、プリント用紙を一定の速度で搬送しながら、行われる。そのため、バーコードの読み取りの際には、プリント用紙の搬送速度の精密な制御が必要である。なお、バーコードリーダーは、プリント用紙の搬送経路のうち、紙送りローラーより下流側の位置に配置されている。そのため、プリント用紙がバーコードリーダーの位置まで搬送された状態において、初めて、バーコードが存在するか否かを判定するための処理が実行可能となる。
【０００７】
なお、関連技術Ａでは、あらかじめ所定のサイズにカットされた複数のプリント用紙が使用される。なお、当該複数のプリント用紙の各々には、バーコードが設けられている。そのため、関連技術Ａでは、印画処理が実行される毎に、バーコードリーダーは、バーコードの読み取り処理を行う。すなわち、印画処理が実行される回数だけ、用紙情報としてのバーコードの読み取り処理が行われる。そのため、関連技術Ａでは、印画処理が実行さる回数だけ、バーコードリーダーを駆動させるための電力が必要である。したがって、プリンタの消費電力が大きいという問題点がある。
【０００８】
本発明は、このような問題を解決するためになされたものであり、用紙情報の読み取りの回数を低減することが可能なプリンタを提供することを目的とする。
【課題を解決するための手段】
【０００９】
上記目的を達成するために、本発明の一態様に係るプリンタは、プリント用紙がロール状に巻かれて構成されるロール紙を用いて、当該プリント用紙に印画を行う印画処理を実行する。前記プリンタは、前記プリント用紙を搬送するための搬送ローラー対と、前記プリンタの電源がオンされた後における１回目の前記印画処理が実行される場合のみ、前記搬送ローラー対により搬送される前記プリント用紙に、当該プリント用紙に関する用紙情報が存在するか否かを判定する制御部と、前記用紙情報が存在すると判定された場合のみ、当該用紙情報を読み取る読取センサーと、を備える。
【発明の効果】
【００１０】
本発明によれば、制御部は、前記プリンタの電源がオンされた後における１回目の前記印画処理が実行される場合のみ、前記搬送ローラー対により搬送される前記プリント用紙に、当該プリント用紙に関する用紙情報が存在するか否かを判定する。読取センサーは、前記用紙情報が存在すると判定された場合のみ、当該用紙情報を読み取る。
【００１１】
すなわち、読取センサーは、プリンタの電源がオンされた後において、仮に、複数回の印画処理が実行される場合、当該印画処理が実行される回数だけ用紙情報を読み取ることはない。これにより、用紙情報の読み取りの回数を低減することができる。そのため、プリンタの消費電力を削減することができる。
【図面の簡単な説明】
【００１２】
【図１】本発明の実施の形態１に係るプリンタ機械的な構成を主に示す図である。
【図２】プリンタに取り付けられるロール紙の斜視図である。
【図３】本発明の実施の形態１に係るプリントシステムの概略構成を示す図である。
【図４】比較例に係る印画制御処理Ｎのフローチャートである。
【図５】本発明の実施の形態１に係る電源状態対応処理Ａのフローチャートである。
【図６】本発明の実施の形態１に係る印画制御処理Ａのフローチャートである。
【図７】プリントシステムにおける各種処理の実行タイミングを説明するための図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
＜実施の形態１＞
図１は、本発明の実施の形態１に係るプリンタ１００の機械的な構成を主に示す図である。図２は、プリンタ１００に取り付けられるロール紙４ｒの斜視図である。プリンタ１００は、熱によりインクリボンのインクをプリント用紙に転写する熱転写プリンタである。
【００１５】
なお、プリンタ１００は、熱転写プリンタに限定されず、他の方式のプリンタであってもよい。プリンタ１００は、例えば、レーザープリンタであってもよい。
【００１６】
プリンタ１００は、詳細は後述するが、プリント用紙４がロール状に巻かれて構成されるロール紙４ｒを用いて、当該プリント用紙４に印画を行う印画処理を実行する。
【００１７】
図１および図２を参照して、プリンタ１００には、ロール紙４ｒが取り付けられる。ロール紙４ｒは、長尺状のプリント用紙４がロール状に巻かれて構成される。１つのロール紙４ｒを構成するプリント用紙４の端部には、１枚のラベル１１が貼り付けられる。ラベル１１には、プリント用紙４に関する情報（以下、用紙情報ともいう）が付加される。
【００１８】
具体的には、プリント用紙４に貼り付けられるラベル１１にはバーコード１２が印刷されている。バーコード１２は、プリント用紙４の搬送方向に対して直交する方向に延在するように設けられる。バーコード１２は、例えば、白および黒を利用した２値情報により表現される。バーコード１２は、２値情報で表現される用紙情報により構成される。すなわち、用紙情報は、バーコード１２により表現される。
【００１９】
用紙情報は、例えば、プリント用紙４の製造ロット、プリント用紙４の物性値等である。当該物性値とは、例えば、プリント用紙４の光学的な特性である反射特性、光沢度、白色度、表面特性である多孔性、平滑性、弾力性などである。
【００２０】
なお、バーコード１２（用紙情報）は、印画処理において印画を行う対象となる、プリント用紙４の端部に設けられる。なお、バーコード１２（用紙情報）が設けられる位置は、プリント用紙４の端部に限定されず、他の場所であってよい。以下においては、プリント用紙４のうち用紙情報が設けられている部分を、用紙情報存在部ともいう。用紙情報存在部は、バーコード１２が設けられている部分である。
【００２１】
プリンタ１００は、ローラー対２と、センサー部３と、搬送ローラー対５と、プラテンローラー７と、サーマルヘッド８と、読取センサー９と、カッター１０と、制御部２０とを備える。
【００２２】
制御部２０は、プリンタ１００内の各部を制御する。制御部２０は、例えば、ＣＰＵ（Central Processing Unit）である。
【００２３】
ローラー対２は、ゴムローラー２ａ，２ｂから構成される。ゴムローラー２ａ，２ｂは、プリント用紙４を、当該ゴムローラー２ａ，２ｂの間に挟んで搬送する。以下において、プリント用紙４が搬送される経路を、搬送経路ともいう。当該搬送経路は、ロール紙４ｒからカッター１０までの経路である。
【００２４】
搬送ローラー対５は、プリント用紙４を搬送するためのローラー対である。搬送ローラー対５は、搬送経路のうち、ローラー対２より下流側の位置に設けられる。搬送ローラー対５は、グリップローラー５ａとピンチローラー５ｂとから構成される。
【００２５】
グリップローラー５ａは、ピンチローラー５ｂと対向する位置に設けられる。グリップローラー５ａの形状は、筒状である。グリップローラー５ａの表面上には、微小な突起が設けられている。
【００２６】
ピンチローラー５ｂは、グリップローラー５ａに所定の圧力で押し付けられる。搬送ローラー対５は、プリント用紙４をピンチローラー５ｂとグリップローラー５ａとの間に挟んで、当該プリント用紙４を搬送する。
【００２７】
センサー部３は、搬送経路のうち、ローラー対２と搬送ローラー対５との間の位置に設けられる。センサー部３は、発光部３ａと受光部３ｂとから構成される。発光部３ａおよび受光部３ｂは、プリント用紙４を挟むように、設けられる。
【００２８】
センサー部３は、光を利用して、ラベル１１を検知するための処理を行う。具体的には、発光部３ａは、プリント用紙４に対して光を出射する。受光部３ｂは、発光部３ａが出射した光のうち、プリント用紙４を透過した光を受ける。当該受光部３ｂは、受けた光の強度に応じた信号を出力する。受光部３ｂは、例えば、光の強度に応じた電圧を示す電圧信号を、制御部２０へ送信（出力）し続ける。
【００２９】
受光部３ｂが受けた光の強度に応じて、受光部３ｂが出力する電圧信号が示す電圧の強度は変化する。受光部３ｂが受けた光の強度が高い程、例えば、電圧信号が示す電圧の強度は高い。受光部３ｂが受ける光の強度が低い程、他と場、電圧信号が示す電圧の強度は低い。
【００３０】
制御部２０は、受光部３ｂから受信している電圧信号が示す電圧の大きさにより、プリント用紙４が存在するか否かを判定する。例えば、制御部２０は、電圧信号が示す電圧が閾値ＴＨ１より大きい場合、プリント用紙４が存在しないと判定する。閾値ＴＨ１は、プリント用紙４の存在の有無を判定するための値である。
【００３１】
また、制御部２０は、受光部３ｂから受信している電圧信号が示す電圧の大きさにより、ラベル１１（バーコード１２）が存在するか否かを判定する。例えば、制御部２０は、電圧信号が示す電圧が閾値ＴＨ２より大きい場合、ラベル１１（バーコード１２）が存在しないと判定する。閾値ＴＨ２は、ラベル１１（バーコード１２）の存在の有無を判定するための値である。なお、閾値ＴＨ２は、閾値ＴＨ１より小さい値である。また、制御部２０は、受信している電圧信号が示す電圧が閾値ＴＨ２以下の場合、ラベル１１（バーコード１２）が存在すると判定する。
【００３２】
サーマルヘッド８およびプラテンローラー７は、搬送経路のうち、搬送ローラー対５とカッター１０との間の位置に設けられる。サーマルヘッド８は、プラテンローラー７と対向する位置に設けられる。
【００３３】
サーマルヘッド８は、プラテンローラー７とサーマルヘッド８との間にプリント用紙４とインクシート（図示せず）とが挟まれた状態において、熱を発する。これにより、インクシートに塗布されたインクが、プリント用紙４に転写される。
【００３４】
読取センサー９は、搬送経路のうち、搬送ローラー対５とカッター１０との間の位置に設けられる。すなわち、読取センサー９は、搬送経路のうち、搬送ローラー対５より下流側の位置に設けられる。なお、読取センサー９が設けられる位置は、上記の位置に限定されない。
【００３５】
読取センサー９は、バーコード１２を読み取る機能を有するセンサーである。読取センサー９は、例えば、レーザー光、赤外線等の光を利用した反射型のセンサーである。読取センサー９は、プリント用紙４の搬送に伴い、プリント用紙４に貼り付けられるラベル１１のバーコード１２が当該読取センサー９の近傍を通過するように、設けられる。
【００３６】
読取センサー９は、バーコード１２に光を照射し、当該バーコード１２からの反射光を利用して、バーコード１２を読み取る。バーコード１２のうち白の部分に光が照射された場合、反射光の強度は強い。バーコード１２のうち黒の部分に光が照射された場合、反射光の強度は弱い。読取センサー９は、反射光の強度に応じた電圧を示す電圧信号を、制御部２０へ送信（出力）する。
【００３７】
なお、プリント用紙４が搬送されることにより、バーコード１２が示す白および黒に応じて、読取センサー９が受ける反射光の強度は変化する。これにより、読取センサー９が出力する電圧信号が示す電圧は変化する。制御部２０は、当該電圧信号が示す電圧の変化により、バーコード１２（用紙情報）を検知する。
【００３８】
カッター１０は、プリント用紙４の端部をロール紙４ｒから切り離すために設けられている。
【００３９】
次に、プリンタ１００を含むプリントシステム１０００の構成について説明する。図３は、本発明の実施の形態１に係るプリントシステム１０００の概略構成を示す図である。プリントシステム１０００は、プリンタ１００を利用して印画処理等を行う。プリントシステム１０００は、例えば、写真のプリント処理（印加処理）等を行うプリンタを搭載した自動販売装置等である。
【００４０】
図３を参照して、プリントシステム１０００は、プリンタ１００と、プリント端末２００とを含む。プリント端末２００は、プリンタ１００を制御する上位の端末である。
【００４１】
プリント端末２００は、ユーザーによる各種の操作を受け付ける端末である。プリント端末２００は、例えば、パーソナルコンピューターおよびディスプレイ等により構成される。プリント端末２００は、例えば、アプリケーションソフトウェアを実行することにより動作する。プリント端末２００は、印画処理をプリンタ１００に実行させるための命令等を、プリンタ１００へ送る。
【００４２】
プリンタ１００は、印画動作部３０を備える。印画動作部３０は、印画処理、印画に関する各種処理を実行する。印画動作部３０は、例えば、電気系回路および機械系装置等から構成される。印画動作部３０は、例えば、図１に示される複数の構成要素のうち、ロール紙４ｒおよび制御部２０以外の構成要素を含む。
【００４３】
制御部２０は、プリント端末２００からの命令に従って、印画動作部３０を制御する。また、制御部２０は、プリンタ１００の動作状態を示す動作情報を保持している。以下においては、画像が形成されたプリント用紙４を、印画物５０ともいう。印画物５０は、印画動作部３０が印画処理を行うことにより得られる。
【００４４】
次に、プリントシステム１０００が行う動作の一例について簡単に説明する。ユーザーが、プリント端末２００に対し、印画処理をプリンタ１００に実行させるための操作を行った場合、プリント端末２００は、印画命令を、プリンタ１００へ送信する。印画命令は、プリンタ１００に印画処理を実行させるための命令である。
【００４５】
プリンタ１００の制御部２０は、印画命令の受信に応じて、印画動作部３０の状態を、当該印画動作部３０に対し問い合わせる。これにより、制御部２０は、印画動作部３０の状態を示す状態情報を得る。
【００４６】
そして、制御部２０は、保持している動作情報と、状態情報とに基づいて、印画動作部３０に印画処理を実行させるための印画命令を送信する。印画動作部３０は、受信した印画命令に従い、所定の処理、印画処理等を実行することにより、印画物５０を得る。そして、印画動作部３０は、得られた印画物５０を出力する。
【００４７】
次に、プリンタ１００が印画処理を実行するための処理（以下、印画制御処理Ａともいう）について説明する。なお、印画制御処理Ａの比較対象となる処理として、印画処理を実行するための処理（以下、印画制御処理Ｎともいう）についても説明する。印画制御処理Ｎは、本発明の特徴的な処理を行わない、比較例としての処理である。
【００４８】
以下においては、本発明の特徴的な処理を行わない、比較例としてのプリンタを、プリンタＮともいう。プリンタＮの構成は、図１のプリンタ１００の構成と同様であるので詳細な説明は繰り返さない。
【００４９】
図４は、比較例に係る印画制御処理Ｎのフローチャートである。印画制御処理Ｎでは、まず、プリンタＮの電源がオンされる（Ｓ１１０）と、プリンタＮは、搬送処理Ｒを行う（Ｓ１２０）。搬送処理Ｒは、用紙情報を読み取るために必要とされる、プリント用紙４を搬送する処理である。具体的には、搬送処理Ｒでは、プリンタＮが、バーコード１２（用紙情報）を読み取るために、プリント用紙４を必要な距離だけ搬送する。
【００５０】
次に、情報存在判定処理が行われる（Ｓ１３０）。情報存在判定処理では、プリンタＮが、プリント用紙４に、バーコード１２（用紙情報）が存在するか否かを判定する。バーコード１２（用紙情報）が存在する場合（Ｓ１３１でＹＥＳ）、読取り処理が行われる（Ｓ１４０）。
【００５１】
読取り処理は、バーコード１２（用紙情報）を読み取るための処理である。次に、切断処理が行われる（Ｓ１５０）。切断処理では、プリント用紙４の用紙情報存在部を、ロール紙４ｒから分離するように、プリント用紙４の一部が切断される。そして、待機状態移行処理が行われる（Ｓ１６０）。待機状態移行処理では、プリンタＮの状態が待機状態に設定される。
【００５２】
なお、バーコード１２（用紙情報）が存在しない場合（Ｓ１３１でＮＯ）、読取り処理（Ｓ１４０）および切断処理（Ｓ１５０）は行われず、待機状態移行処理が行われる。
【００５３】
以上のように、比較例に係る印画制御処理Ｎでは、バーコード１２（用紙情報）が存在するか否かに関わらず、プリンタＮの電源がオンされる毎に、搬送処理Ｒ（Ｓ１２０）が行われる。また、印画制御処理Ｎでは、印画処理が実行されるか否かに関わらず、プリンタＮの電源がオンされる毎に、搬送処理Ｒ（Ｓ１２０）が行われる。
【００５４】
一方、本実施の形態では、プリンタ１００の電源の状態に関わる電源状態対応処理Ａと、印画制御処理Ａとが行われる。図５は、本発明の実施の形態１に係る電源状態対応処理Ａのフローチャートである。図６は、本発明の実施の形態１に係る印画制御処理Ａのフローチャートである。図５および図６において、図４のステップ番号と同じステップ番号の処理は、印画制御処理Ｎにおける前述した処理と同様な処理が行われる。
【００５５】
図５の電源状態対応処理Ａでは、まず、プリンタ１００の電源がオンされる（Ｓ１１０）と、待機状態移行処理が行われる（Ｓ１６０）。待機状態移行処理では、制御部２０が、プリンタ１００の状態を、待機状態に設定する。すなわち、電源状態対応処理Ａでは、プリンタ１００の電源がオンされた直後に、前述の搬送処理Ｒ（Ｓ１２０）が必ず行われることはない。そして、図６の印画制御処理Ａが行われる。
【００５６】
印画制御処理Ａでは、制御部２０が、プリント端末２００から印画命令を受信した場合（Ｓ１０１ＡでＹＥＳ）、処理はステップＳ１０２Ａへ移行する。
【００５７】
ステップＳ１０２Ａでは、制御部２０が、受信した印画命令が、プリンタ１００の電源がオンされた後における１回目の印画命令であるか否かを判定する。すなわち、制御部２０は、プリンタ１００の電源がオンされた後における１回目の印画処理が実行されることが確定されたか否かを判定する。
【００５８】
ステップＳ１０２Ａにおいて、ＹＥＳならば処理はステップＳ１２０へ移行する。一方、ステップＳ１０２Ａにおいて、ＮＯならば処理は後述のステップＳ１７０Ａへ移行する。
【００５９】
ステップＳ１２０では、搬送処理Ｒが行われる。搬送処理Ｒでは、読取センサー９がバーコード１２（用紙情報）を読み取るために、搬送ローラー対５がプリント用紙４を必要な距離だけ搬送する。
【００６０】
ステップＳ１３０では、情報存在判定処理が行われる。情報存在判定処理では、制御部２０が、プリント用紙４にバーコード１２（用紙情報）が存在するか否かを判定する。バーコード１２（用紙情報）の有無の判定は、前述したように、受光部３ｂから受信している電圧信号示す電圧の大きさにより、行われる。前述したように、制御部２０は、電圧信号が示す電圧が閾値ＴＨ２より大きい場合、ラベル１１（バーコード１２）が存在しないと判定する。
【００６１】
バーコード１２（用紙情報）が存在する場合（Ｓ１３１でＹＥＳ）、読取り処理が行われる（Ｓ１４０）。読取り処理では、読取センサー９が、用紙情報としてのバーコード１２を読み取る。すなわち、ステップＳ１３１，Ｓ１４０が行われることにより、読取センサー９は、制御部２０により用紙情報（バーコード１２）が存在すると判定された場合のみ、当該用紙情報を読み取る。
【００６２】
次に、切断処理が行われる（Ｓ１５０）。切断処理では、カッター１０が、プリント用紙４の用紙情報存在部を、ロール紙４ｒから分離するように、プリント用紙４の一部を切断する。
【００６３】
次に、印画処理が実行される（Ｓ１７０Ａ）。印画処理では、プリント用紙４に印画（画像の形成）を行うために、サーマルヘッド８が、インクシート（図示せず）に対し加熱を行う。これにより、プリント用紙４に画像が形成される。そして、カッター１０は、プリント用紙４のうち画像が形成された部分を、ロール紙４ｒから分離するように、プリント用紙４の一部を切断する。これにより、画像が形成された印画物５０が得られる。そして、印画動作部３０は、印画物５０を、プリンタ１００の外部に排出する。その後、再度、図５のステップＳ１６０の処理が行われる。
【００６４】
なお、バーコード１２（用紙情報）が存在しない場合（Ｓ１３１でＮＯ）、読取り処理（Ｓ１４０）および切断処理（Ｓ１５０）は行われず、ステップＳ１７０Ａの印画処理が行われる。
【００６５】
以上の電源状態対応処理Ａおよび印画制御処理Ａにおいて、ステップＳ１０２Ａ，Ｓ１２０，Ｓ１３０が行われることにより、制御部２０は、プリンタ１００の電源がオンされた後における１回目の印画処理が実行される場合のみ、搬送ローラー対５により搬送されるプリント用紙４に、用紙情報（バーコード１２）が存在するか否かを判定する。言い換えれば、制御部２０は、プリンタ１００の電源がオンされた後における１回目の印画処理が実行されることが確定された場合のみ、搬送ローラー対５により搬送されるプリント用紙４に、用紙情報（バーコード１２）が存在するか否かを判定する。
【００６６】
また、ステップＳ１３１，Ｓ１４０が行われることにより、読取センサー９は、制御部２０により用紙情報（バーコード１２）が存在すると判定された場合のみ、当該用紙情報を読み取る。
【００６７】
また、電源状態対応処理Ａおよび印画制御処理Ａによれば、プリンタ１００の電源がオンされた後に、１回目の印画処理が実際に行われる場合のみ、搬送処理Ｒ（Ｓ１２０）が行われる。
【００６８】
以下においては、比較例に係る印画制御処理Ｎを行うプリンタＮと、プリント端末２００とから構成されるシステムを、プリントシステムＮともいう。
【００６９】
次に、図７を用いて、プリントシステムＮの動作と、電源状態対応処理Ａおよび印画制御処理Ａを行うプリントシステム１０００の動作とについて、一例を挙げて、説明する。ここで、プリントシステムＮおよびプリントシステム１０００の各々は、印画処理等のサービスを行う店等に設置されているとする。
【００７０】
図７（ａ）は、比較例に係るプリントシステムＮの動作を説明するための図である。図７（ｂ）は、電源状態対応処理Ａおよび印画制御処理Ａを行うプリントシステム１０００の動作を説明するための図である。
【００７１】
図７（ａ）および図７（ｂ）において、「電源オン」とは、１日毎に、プリンタＮまたはプリンタ１００の電源がオンされるタイミングを示す。「用紙搬送」とは、プリンタＮまたはプリンタ１００において、前述の搬送処理Ｒ（Ｓ１２０）が行われるタイミングを示す。「印画処理」とは、プリンタＮまたはプリンタ１００において、前述の印画処理が行われるタイミングを示す。
【００７２】
なお、図７（ａ）および図７（ｂ）では、開店時に、プリンタＮおよびプリンタ１００の各々の電源がオンされるとする。また、閉店時に、プリンタＮおよびプリンタ１００の各々の電源がオフされるとする。また、図７（ａ）および図７（ｂ）は、用紙情報（バーコード１２）が存在する部分がロール紙４ｒから切り離された状態における各種タイミングを示すとする。また、図７（ａ）および図７（ｂ）は、プリンタＮおよびプリンタ１００が、１日目から４日目まで印画処理を行わなかった場合における各種タイミングを示すとする。
【００７３】
プリントシステムＮでは、図７（ａ）に示すように、１日目から4日目までの期間において毎日、プリンタＮは、電源がオンされた後に、搬送処理Ｒを実行する。なお、プリンタＮは、１日目から4日目まで、印画処理を行わない。そのため、プリンタＮは、プリント用紙４の先端部に対し、搬送動作を繰り返し行うことになる。その結果、ゴムローラーの痕、グリップローラーの痕によるプリント用紙４の品質劣化が著しくなる。
【００７４】
したがって、５日目において、印画処理が実行された際に出力される印画物は、品質が劣化したプリント用紙４に印画を行ったものとなる。そのため、プリンタＮが出力した印画物は、ユーザーが満足できる品質を保っていない。
【００７５】
一方、本実施の形態のプリンタ１００を用いたプリントシステム１０００では、図７（ｂ）に示すように、１日目から4日目までの期間において毎日、プリンタ１００は、電源がオンされた後に、搬送処理Ｒを実行しない。すなわち、プリンタ１００は、１日目から４日目までの間は、プリント用紙４を動かさない。
【００７６】
そして、プリンタ１００は、５日目に印画処理が実行される際に、はじめて、搬送処理Ｒを行う。そのため、１回のみ搬送処理Ｒが行われたダメージの少ないプリント用紙４を用いて、印画処理が行われる。そのため、プリンタ１００が出力する印画物５０は、ゴムローラーの痕、グリップローラーの痕による劣化が非常に少ない、ユーザーが満足できる品質を保つことができる。
【００７７】
以上説明したように、本実施の形態によれば、制御部２０は、プリンタ１００の電源がオンされた後における１回目の印画処理が実行される場合のみ、搬送ローラー対５により搬送されるプリント用紙４に、当該プリント用紙４に関する用紙情報が存在するか否かを判定する。読取センサー９は、用紙情報が存在すると判定された場合のみ、当該用紙情報を読み取る。
【００７８】
すなわち、読取センサー９は、プリンタ１００の電源がオンされた後において、仮に、複数回の印画処理が実行される場合、当該印画処理が実行される回数だけ用紙情報を読み取ることはない。これにより、用紙情報の読み取りの回数を低減することができる。そのため、プリンタ１００の消費電力を削減することができる。
【００７９】
また、本実施の形態によれば、プリント用紙４にバーコード１２（用紙情報）が存在する場合、バーコード１２（用紙情報）を読み取る処理が行われる。その後、バーコード１２は、ロール紙４ｒから切り離される。すなわち、カッター１０は、読取センサー９が用紙情報を読み取った後、プリント用紙４のうち当該用紙情報が設けられている部分をロール紙４ｒから分離するように、プリント用紙４の一部を切断する。
【００８０】
これにより、プリント用紙４のうち、用紙情報が設けられた部分に対して印画処理が行われることを確実に防止することができる。そのため、ゴムローラーの痕、グリップローラーの痕が、プリント用紙４に不必要につくことを防止することができる。その結果、プリント用紙４の品位が低下することを防止できる。すなわち、ユーザーに品質の保たれた印画物を提供することができる。
【００８１】
また、本実施の形態によれば、プリンタ１００の電源のオンの後において、印画処理を行う予定がない場合、搬送処理Ｒを実行しない。そのため、プリンタ１００の印画動作部３０（用紙搬送の機構）に加わる機構的な負荷が少なくなる。そのため、印画動作部３０の機械的な消耗を少なくすることができる。その結果、印画動作部３０の寿命を長くすることができ、プリンタ１００の信頼性を向上させることができる。
【００８２】
また、本実施の形態によれば、プリンタ１００は、印画処理が実行される場合のみ、搬送処理Ｒを行う。そのため、ゴムローラーの痕、グリップローラーの痕が、プリント用紙４に不必要につくことを防止することができる。その結果、プリント用紙４の品位が低下することを防止できる。すなわち、ユーザーに品質の保たれた印画物を提供することができる。
【００８３】
なお、比較例に係るプリンタＮでは、電源がオンされる毎に、搬送処理Ｒを実行する。すなわち、プリンタＮの電源がオンされる毎に、プリント用紙が、ゴムローラー、グリップローラー等により、読取センサー９の位置まで搬送される。そのため、印画処理が行われる直前のプリント用紙には、ゴムローラーの痕、グリップローラーの痕がついてしまう。そのため、印画処理により得られる印画物の画質が低くなるという問題点がある。
【００８４】
また、前述の関連技術Ａに、プリント用紙がロール状に巻かれて構成されるロール紙を適用した構成では、以下の問題点がある。当該構成では、当該プリント用紙に対し、所定の周期でバーコードを設けることが考えられる。
【００８５】
この場合、プリンタによって印画可能な画像サイズの選択肢が狭まってしまう。なぜなら、ロール紙を構成するプリント用紙に、所定の周期で設けられたバーコードの部分には、画像を印画することができなくなるからである。このため、ロール紙のプリント用紙に、バーコードを設ける場合、未使用のロール紙の先頭付近にのみバーコードを設けることになる。
【００８６】
このように、ロール紙の先頭付近に設けられたバーコードは、１度バーコードの読取が終わった後、ロール紙から切り離される。そして、バーコードが取り除かれた状態のロール紙を用いて印画処理が行われることになる。
【００８７】
具体的には、まず、プリンタの電源がオンされている状態で、未使用のロール紙がプリンタに取り付けられた場合、上述のように、紙送りローラーが、プリント用紙を読取センサーの位置まで搬送する。当該紙送りローラーは、ゴムローラー、グリップローラー等である。そして、プリント用紙にバーコードが存在するか否かの判定処理（以下、バーコード存在判定処理ともいう）が行われる。バーコードが存在する場合、情報を読み取るための処理が行われる。そして、情報の読み取り後は、ロール紙から、バーコードを切り離す処理が行われる。
【００８８】
ところが、ユーザーは、プリンタの電源がオンされていない状態で、バーコードのついた未使用のロール紙を、プリンタに取り付ける場合がある。この場合、プリント用紙のうちバーコードが存在する部分の切り離しが行われない。そのため、バーコードが存在する部分が切り離されていないロール紙がプリンタに取り付けられることになる。この場合、実際に、プリンタの電源がオンされて、印画が行われる際、プリンタは、バーコードが設けられた部分を印画に使用してしまうことになる。
【００８９】
バーコードは、通常、シール状のラベルに印刷される。すなわち、バーコードが印刷されたラベルが、プリント用紙に貼り付けられる。当該ラベルは、プリント用紙とは、紙質、厚みが異なる。そのため、プリント用紙が正常に搬送されなかったり、プリント用紙にインクが貼り付いたりするなどといった不具合が発生する可能性がある。また、当該不具合により、プリンタが故障する可能性もがある。
【００９０】
そこで、上記の問題を回避するために、一般的には、以下の処理が行われる。まず、電源がオンされた時に、毎回、バーコード存在判定処理を実施して、バーコードの有無が判定される。バーコードが存在する場合、情報を読み取り、その後、バーコードをロール紙から切り離すための処理が行われる。
【００９１】
しかしながら、バーコードがプリント用紙に設けられていない場合も、プリンタは、電源がオンされる毎に、バーコードの読取りのための処理を行う。そのため、ゴムローラーの痕、グリップローラーの痕等が、プリント用紙に不必要についてしまう。その結果、プリンタにより得られる印画物の画質が低下するという問題点がある。
【００９２】
さらに、近年、写真店、家電量販店、コンビニエンスストア等に広く普及している、写真のプリント処理を行う自動販売装置に、プリンタが搭載されている。このような自動販売装置の運用方法では、例えば、店舗の開店時時に、自動販売装置の電源がオンされ、店舗の閉店時に自動販売装置の電源がオフにされる。
【００９３】
自動販売装置の上記の運用方法に伴い、当該自動販売装置に搭載されたプリンタも、毎日、開店時に電源がオンされ、閉店時に電源がオフされることになる。そのため、上記のように、プリンタの電源がオンされる毎に、バーコードの読み取りのための処理が行われる。
【００９４】
なお、自動販売装置の稼動率が高く、プリント用紙が次々に使用されている場合は問題ない。しかしながら、自動販売装置の稼動率が低く、プリンタがまったく使用されない場合も、毎日の電源のオンの度に、プリンタは、読取りのための処理を実施する。
【００９５】
そのため、ゴムローラーの痕、グリップローラーの痕を、プリント用紙に不必要に与えることになる。その結果、プリンタが、実際に印画処理を行う場合、品位が低下したプリント用紙を使用して印画処理を行うことになる。これにより、品質の悪い印画物をユーザーが受け取ってしまうという問題点がある。
【００９６】
一方、本実施の形態は上記のように構成されるため、上記の問題を解決することができる。
【００９７】
（その他の変形例）
以上、本発明に係るプリンタについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【００９８】
また、プリンタ１００は、図１に示される全ての構成要素を含まなくてもよい。すなわち、プリンタ１００は、本発明の効果を実現できる最小限の構成要素のみを含めばよい。例えば、プリンタ１００は、カッター１０を備えなくてもよい。
【００９９】
また、本発明は、プリンタ１００が備える特徴的な構成部の動作をステップとする情報読取り方法として実現してもよい。また、本発明は、当該情報読取り方法に含まれる各ステップをコンピュータが実行してもよい。また、本発明は、そのような情報読取り方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１００】
上記実施の形態で用いた全ての数値は、本発明を具体的に説明するための一例の数値である。すなわち、本発明は、上記実施の形態で用いた各数値に制限されない。
【０１０１】
また、本発明に係る情報読取り方法は、図５の電源状態対応処理Ａおよび図６の印画制御処理Ａに相当する。情報読取り方法における各処理の実行される順序は、本発明を具体的に説明するための一例であり、上記以外の順序であってもよい。また、情報読取り方法における処理の一部と、他の処理とは、互いに独立して並列に実行されてもよい。
【０１０２】
なお、本発明は、その発明の範囲内において、実施の形態を適宜、変形、省略することが可能である。
【０１０３】
例えば、実施の形態１では、用紙情報を、パーコードとして、ラベル１１に記録させる構成としたがこれに限定されない。用紙情報を、例えば、２次元コードを用いたラベル、非接触のＩＣタグラベル等に記録する構成としてもよい。
【０１０４】
また、用紙情報を、プリント用紙４に直接印刷する構成としてもよい。すなわち、用紙情報をプリント用紙４に記録する構成としてもよい。この構成では、例えば、プリンタ１００にロール紙４ｒが取り付けられた後において、印画処理が行われる前に、用紙情報が読み取られる。
【符号の説明】
【０１０５】
４  プリント用紙、４ｒ  ロール紙、５  搬送ローラー対、９  読取センサー、１０  カッター、１１  ラベル、１２  バーコード、２０  制御部、３０  印画動作部、１００  プリンタ、２００  プリント端末、１０００  プリントシステム。
【図１】
2015182271.tif 000003
【図２】
2015182271.tif 000004
【図３】
2015182271.tif 000005
【図４】
2015182271.tif 000006
【図５】
2015182271.tif 000007
【図６】
2015182271.tif 000008
【図７】
2015182271.tif 000009